(57)【特許請求の範囲】
【請求項１】
感光ドラムと、
貫通穴と第１被係合部とを有する側壁を備える筐体と、
記録シートを搬送するように構成される搬送ローラと、
前記搬送ローラを回転可能に支持する軸受と、を備え、
前記軸受は、
前記搬送ローラを支持する支持部と、
前記貫通穴を通過するように延びる挿通部と、
前記側壁に対して、前記挿通部と反対側に位置し、前記支持部と前記挿通部とを連結する連結部と、
前記側壁に対して前記支持部の反対側に配置され、前記挿通部から前記感光ドラムの軸線方向と前記記録シートの搬送方向の両方に直交する直交方向に突出し、前記第１被係合部と係合する第１係合部と、を備え、
前記第１係合部は、前記挿通部から離れるにつれて前記側壁に近づくような傾斜面を有することを特徴とする、ドラムカートリッジ。
【請求項２】
感光ドラムと、
貫通穴と第１被係合部とを有する側壁と、前記側壁を連結する底壁とを備える筐体と、
記録シートを搬送するように構成される搬送ローラと、
前記搬送ローラを回転可能に支持する軸受と、を備え、
前記軸受は、
前記搬送ローラを支持する支持部と、
前記貫通穴を通過するように延びる挿通部と、
前記側壁に対して、前記挿通部と反対側に位置し、前記支持部と前記挿通部とを連結する連結部と、
前記側壁に対して前記支持部の反対側に配置され、前記挿通部から前記感光ドラムの軸線方向と前記記録シートの搬送方向の両方に直交する直交方向に突出し、前記第１被係合部と係合する第１係合部と、を備え、
前記挿通部は、前記底壁と隣接していることを特徴とする、ドラムカートリッジ。
【請求項３】
感光ドラムと、
貫通穴と第１被係合部とを有する側壁を備える筐体と、
記録シートを搬送するように構成される搬送ローラと、
前記搬送ローラを回転可能に支持する軸受と、を備え、
前記軸受は、
前記搬送ローラを支持する支持部と、
前記貫通穴を通過するように延びる挿通部と、
前記側壁に対して、前記挿通部と反対側に位置し、前記支持部と前記挿通部とを連結する連結部と、
前記側壁に対して前記支持部の反対側に配置され、前記挿通部から前記感光ドラムの軸線方向と前記記録シートの搬送方向の両方に直交する直交方向に突出し、前記第１被係合部と係合する第１係合部と、を備え、
前記第１被係合部は、前記直交方向において前記貫通穴を挟むように位置する１対の第１被係合部であることを特徴とする、ドラムカートリッジ。
【請求項４】
感光ドラムと、
貫通穴と第１被係合部と第２被係合部とを有する側壁を備える筐体と、
記録シートを搬送するように構成される搬送ローラと、
前記搬送ローラを回転可能に支持する軸受と、を備え、
前記軸受は、
前記搬送ローラを支持する支持部と、
前記貫通穴を通過するように延びる挿通部と、
前記側壁に対して、前記挿通部と反対側に位置し、前記支持部と前記挿通部とを連結する連結部と、
前記側壁に対して前記支持部の反対側に配置され、前記挿通部から前記感光ドラムの軸線方向と前記記録シートの搬送方向の両方に直交する直交方向に突出し、前記第１被係合部と係合する第１係合部と、
前記搬送方向に突出し、前記第２被係合部と係合するように構成される第２係合部と、を備えることを特徴とする、ドラムカートリッジ。
【請求項５】
感光ドラムと、
貫通穴と第１被係合部とを有する側壁を備える筐体と、
記録シートを搬送するように構成される搬送ローラと、
前記搬送ローラを回転可能に支持する軸受と、を備え、
前記軸受は、
前記搬送ローラを支持する支持部と、
前記貫通穴を通過するように延びる挿通部と、
前記側壁に対して、前記挿通部と反対側に位置し、前記支持部と前記挿通部とを連結する連結部と、
前記側壁に対して前記支持部の反対側に配置され、前記挿通部から前記感光ドラムの軸線方向と前記記録シートの搬送方向の両方に直交する直交方向に突出し、前記第１被係合部と係合する第１係合部と、を備え、
前記側壁は、前記軸線方向に間隔を隔てて位置する１対の側壁であり、
前記軸受は、前記搬送ローラの両端部をそれぞれ回転可能に支持する１対の軸受であり、
前記１対の軸受の一方の連結部が前記１対の側壁の一方に当接した状態において、前記１対の軸受の他方の第１係合部と前記１対の側壁の他方とは間隔を隔てて位置していることを特徴とする、ドラムカートリッジ。
【請求項６】
前記第１被係合部は、前記貫通穴に対して、前記底壁と反対側に位置することを特徴とする、請求項２に記載のドラムカートリッジ。
【請求項７】
前記第１係合部と前記第１被係合部との間の距離は、前記第２係合部と前記第２被係合部との間の距離よりも短いことを特徴とする、請求項４に記載のドラムカートリッジ。
【請求項８】
前記搬送ローラは、
前記記録シートを搬送するための大径部と、
前記大径部よりも径が小さく、前記軸受によって支持される小径部と、を備え、
前記小径部は、前記側壁に対して、前記大径部の反対側に位置することを特徴とする、請求項１〜７のいずれか一項に記載のドラムカートリッジ。
【請求項９】
前記搬送ローラは、金属製であることを特徴とする請求項１〜８のいずれか一項に記載のドラムカートリッジ。
【請求項１０】
前記支持部は、画像形成装置本体の部材と係合して位置決めされるように構成されることを特徴とする、請求項１〜９のいずれか一項に記載のドラムカートリッジ。
【発明の詳細な説明】
【技術分野】
【０００１】
本発明は、電子写真方式が採用される画像形成装置の装置本体に着脱可能なドラムカートリッジに関する。
【背景技術】
【０００２】
電子写真方式が採用される画像形成装置に装着されるように構成される感光体カートリッジとして、現像ローラを備える現像カートリッジを収容可能である感光体カートリッジが知られている。
【０００３】
このような感光体カートリッジとして、用紙を搬送するためのレジストローラであって、画像形成装置に備えられたレジストローラと対をなすレジストローラを備えた感光体カートリッジが知られている（例えば、特許文献１参照）。
【０００４】
上記特許文献１に記載の感光体カートリッジは、感光体カートリッジの筐体であるケースに取り付けられる軸受体を備える。そして、軸受体がレジストローラを回転可能に支持する。
【０００５】
そして、画像形成装置に感光体カートリッジが装着されると、感光体カートリッジ側のレジストローラが、画像形成装置側のレジストローラに接触する。この状態において、両方のレジストローラが回転することにより、感光体および現像ローラに向けて用紙が搬送される。
【先行技術文献】
【特許文献】
【０００６】
【特許文献１】特開２００１−７５４５７号公報
【発明の概要】
【発明が解決しようとする課題】
【０００７】
しかるに、上記特許文献１に記載の感光体カートリッジでは、軸受体は、感光体カートリッジの底壁であるケース底面壁に支持されており、感光体側のレジストローラは、ケース底面壁と平行に延びている。また、ケース底面壁には、搬送する用紙を通過させるための底面開口部が位置している。そのため、ケース底面壁は、剛性が小さく、力が加わった場合に撓みやすい。そして、例えば、現像カートリッジを落下させる等して、ケース底面壁が撓むと、軸受体がケース底面壁から外れて、レジストローラがケースから脱落するおそれがある。
【０００８】
そこで、本発明の目的は、搬送ローラの脱落を抑制できるドラムカートリッジを提供することにある。
【課題を解決するための手段】
【０００９】
（１）上記目的を達成するために、本発明のドラムカートリッジは、感光ドラムと、第１被係合部を有する側壁を備える筐体と、記録シートを搬送するように構成される搬送ローラと、搬送ローラを回転可能に支持する軸受と、を備える。軸受は、搬送ローラを支持する支持部と、側壁に対して支持部の反対側に配置され、感光ドラムの軸線方向と記録シートの搬送方向の両方に直交する直交方向に突出し、第１被係合部と係合する第１係合部と、を備える。
【００１０】
このような構成によれば、軸線方向に衝撃が加わった場合には、軸線方向と平行な力が、軸受に加わる。その一方、第１係合部は、直交方向に突出しており、第１被係合部と係合している。つまり、第１係合部は、軸線方向に衝撃が加わった場合に加わる力と異なる方向に突出している。
【００１１】
そのため、搬送ローラに軸線方向において衝撃が加わった場合に、軸受に対して第１係合部と第１被係合部との係合状態が解除される方向に力が加わることを抑制できる。
【００１２】
その結果、第１係合部と第１被係合部との係合状態を安定的に維持でき、軸受が側壁から外れることを抑制できる。
【００１３】
よって、搬送ローラが筐体から脱落することを抑制できる。
（２）また、側壁は、貫通穴を有してもよい。軸受は、貫通穴を通過するように延びる挿通部と、側壁に対して、挿通部と反対側に位置し、支持部と挿通部とを連結する連結部と、を備えてもよい。第１係合部は、挿通部から突出していてもよい。
【００１４】
このような構成によれば、軸受の挿通部は、側壁に位置する貫通穴を通過する。また、軸受の第１係合部は、挿通部から突出している。そして、軸受の第１係合部は、側壁の第１被係合部と係合する。
【００１５】
そのため、第１係合部と第１被係合部とを確実に係合させることができる。
（３）また、第１係合部は、挿通部から離れるにつれて側壁に近づくような傾斜面を有してもよい。
【００１６】
このような構成によれば、軸受の第１係合部が側壁の第１被係合部に係合する際に、第１係合部が第１被係合部に対して鉤のように係合する。
【００１７】
そのため、第１係合部を第１被係合部に対して一層確実に係合させることができる。
（４）また、筐体は、側壁を連結する底壁をさらに備えてもよい。挿通部は、底壁と隣接していてもよい。
【００１８】
このような構成によれば、軸受が移動すると、挿通部が底壁に当接する。
【００１９】
そのため、軸受の移動が底壁によって規制される。
【００２０】
その結果、搬送ローラが脱落することを確実に抑制できる。
（５）また、第１被係合部は、貫通穴に対して、底壁と反対側に位置してもよい。
【００２１】
このような構成によれば、第１被係合部を、底壁と間隔を隔てて位置させることができる。
【００２２】
そのため、ドラムカートリッジにおいて、第１被係合部を、バランスよく配置できる。
（６）また、第１被係合部は、直交方向において貫通穴を挟むように位置する１対の第１被係合部であってもよい。
【００２３】
このような構成によれば、第１係合部を１対の第１被係合部に対して係合させることができる。
【００２４】
そのため、第１係合部と第１被係合部との係合状態を安定的に保つことができる。
（７）また、側壁は、第２被係合部をさらに備えてもよい。軸受は、搬送方向に突出し、第２被係合部と係合するように構成される第２係合部をさらに備えてもよい。
【００２５】
このような構成によれば、軸受は、第１被係合部と係合する第１係合部に加えて、搬送方向に突出し、第２被係合部と係合する第２係合部を備える。
【００２６】
そのため、直交方向に衝撃が加わった場合には、直交方向と平行な力が、軸受に加わる。その一方、第２係合部は、搬送方向に突出しており、第２被係合部と係合している。つまり、第２係合部は、直交方向に衝撃が加わった場合に加わる力と異なる方向に突出している。
【００２７】
そのため、搬送ローラに直交方向において衝撃が加わった場合には、第２係合部が第２被係合部との係合を維持する。
【００２８】
その結果、搬送ローラに対して、軸線方向における衝撃に加えて、直交方向における衝撃が加わった場合でも、軸受と側壁との係合状態を安定的に保つことができる。
（８）また、第１係合部と第１被係合部との間の距離は、第２係合部と第２被係合部との間の距離よりも短くてもよい。
【００２９】
このような構成によれば、搬送ローラが軸線方向にがたついたときに、第２係合部が第２被係合部に係合するよりも先に、第１係合部を第１被係合部に係合させることができる。
【００３０】
そのため、軸受と側壁との係合状態を一層安定的に保つことができる。
（９）また、側壁は、軸線方向に間隔を隔てて位置する１対の側壁であってもよい。軸受は、搬送ローラの両端部をそれぞれ回転可能に支持する１対の軸受であってもよい。１対の軸受の一方の連結部が１対の側壁の一方に当接した状態において、１対の軸受の他方の第１係合部と１対の側壁の他方とは間隔を隔てて位置していてもよい。
【００３１】
このような構成によれば、搬送ローラが軸線方向にがたついたときに、１対の軸受の一方の連結部が１対の側壁の一方に当接した後に、１対の軸受の他方の第１係合部と前記１対の側壁の他方の係合部とを係合させることができる。
【００３２】
そのため、第１係合部と係合部が係合する際の衝撃を小さくできる。
（１０）また、搬送ローラは、記録シートを搬送するための大径部と、大径部よりも径が小さく、軸受によって支持される小径部と、を備えてもよい。小径部は、側壁に対して、大径部の反対側に位置してもよい。
【００３３】
このような構成によれば、搬送ローラにおける記録シートと接触する部分を、剛性の高い大径部から形成できる。
【００３４】
その結果、記録シートと接触する搬送ローラが撓むことを抑制でき、記録シートの搬送性を高めることができる。
（１１）また、搬送ローラは、金属製であってもよい。
【００３５】
このような構成によれば、搬送ローラが撓むことを一層抑制できる。
（１２）また、支持部は、画像形成装置本体の部材と係合して位置決めされるように構成されてもよい。
【００３６】
このような構成によれば、ドラムカートリッジを画像形成装置本体に装着すると、位置決め部が画像形成装置本体の部材と係合することにより、支持部が位置決めされるので、その結果、搬送ローラを画像形成装置本体に対して位置決めできる。
【発明の効果】
【００３７】
本発明のドラムカートリッジでは、搬送ローラの脱落を抑制できる。
【図面の簡単な説明】
【００３８】
【図１】図１は、本発明のドラムカートリッジの一実施形態の中央断面図である。
【図２】図２は、図１に示すドラムカートリッジが装着される画像形成装置の中央断面図である。
【図３】図３は、図１に示すドラムカートリッジを上方かつ前右方から見た斜視図である。
【図４】図４は、図１に示すドラムカートリッジを上方かつ前左方から見た斜視図である。
【図５】図５は、図１に示すドラムカートリッジの底面図である。
【図６】図６Ａは、カートリッジ側レジストローラに軸受体を組み付ける状態を上方かつ前右方から見た斜視図である。図６Ｂは、カートリッジ側レジストローラに軸受体を組み付ける状態を上方かつ前左方から見た斜視図である。
【図７】図７は、図１に示すドラムカートリッジの平断面図である。
【図８】図８は、図１に示すドラムカートリッジの正断面図である。
【図９】図９は、図１に示すドラムカートリッジを用いたプロセスカートリッジの左側面図である。
【図１０】図１０Ａは、図１に示すドラムカートリッジの第２実施形態の軸受体の正端面図である。図１０Ｂは、図１に示すドラムカートリッジの第２実施形態のドラムフレーム２を上方かつ前右方から見た斜視図である。
【図１１】図１１は、図１に示すドラムカートリッジの第３実施形態を示す正断面図である。
【図１２】図１２Ａは、図１１に示すドラムカートリッジの正断面図であって、左方部分の拡大図である。図１２Ｂは、図１１に示すドラムカートリッジの平断面図であって、左方部分の拡大図である。
【発明を実施するための形態】
【００３９】
１．ドラムカートリッジの概略
図１に示すように、ドラムカートリッジ１は、筐体の一例としてのドラムフレーム２と、感光ドラム３と、スコロトロン型帯電器４と、転写ローラ５と、１対の軸受体６と、搬送ローラの一例としてのカートリッジ側レジストローラ７とを備えている。
【００４０】
なお、以下の説明において、ドラムカートリッジ１の方向に言及するときには、ドラムカートリッジ１を水平に載置した状態を上下の基準とする。すなわち、図１の紙面上方が上方であり、紙面下方が下方である。また、図１の紙面左方が前方であり、図１の紙面右方が後方である。また、ドラムカートリッジ１を前方から見たときを左右の基準とする。すなわち、図１の紙面奥が左方であり、紙面手前が右方である。左右方向は、軸線方向の一例であり、上下方向は、直交方向の一例であり、前後方向は、搬送方向の一例である。      
【００４１】
ドラムフレーム２は、ベースフレーム１０と、カバーフレーム１１とを備えている。
【００４２】
ベースフレーム１０は、図３に示すように、平面視略矩形の有底枠形状を有している。
【００４３】
カバーフレーム１１は、平面視略矩形の板形状を有し、ベースフレーム１０の後方部の上端部を被覆している。
【００４４】
感光ドラム３は、左右方向に延びる略円筒形状を有し、ベースフレーム１０の後方部とカバーフレーム１１との間に位置している。感光ドラム３の左右方向両端部は、ベースフレーム１０に回転可能に支持されている。これにより、感光ドラム３は、左右方向に延びる第１回転軸線Ｌ１について回転可能である。
【００４５】
スコロトロン型帯電器４は、図１に示すように、カバーフレーム１１の後端部の下面に支持されている。スコロトロン型帯電器４は、感光ドラム３の後上方において、感光ドラム３と間隔を隔てて位置している。
【００４６】
転写ローラ５は、左右方向に延びる略円筒形状を有し、ベースフレーム１０の後方部に位置している。転写ローラ５の左右方向両端部は、ベースフレーム１０に回転可能に支持されている。転写ローラ５は、感光ドラム３の下方に位置しており、その上端部は、感光ドラム３の下端部と接触している。
【００４７】
図３に示すように、１対の軸受体６は、ベースフレーム１０の左右方向両端部に取り付けられている。１対の軸受体６は、左右方向に互いに間隔を隔てて位置している。
【００４８】
カートリッジ側レジストローラ７は、左右方向に延びる略円柱形状を有し、その両端部が１対の軸受体６に回転可能に支持されている。これにより、カートリッジ側レジストローラ７は、左右方向に延びる第２回転軸線Ｌ２について回転可能である。カートリッジ側レジストローラ７は、金属製である。
２．ドラムカートリッジの使用態様
図２に示すように、ドラムカートリッジ１は、プリンタ２０に装着されて使用される。
【００４９】
プリンタ２０は、電子写真方式のモノクロプリンタである。プリンタ２０は、画像形成装置本体の一例としての装置本体２１と、プロセスカートリッジ２２と、スキャナユニット２３と、定着ユニット２４と、本体側レジストローラ４０とを備えている。
【００５０】
装置本体２１は、略ボックス形状を有している。装置本体２１は、開口部２５と、フロントカバー２６と、給紙トレイ２７と、排紙トレイ２８とを有している。
【００５１】
開口部２５は、装置本体２１の前端部に位置している。開口部２５は、プロセスカートリッジ２２の通過を許容するように、装置本体２１の内外を前後方向に連通している。
【００５２】
フロントカバー２６は、装置本体２１の前端部に位置している。フロントカバー２６は、略板形状を有している。フロントカバー２６は、上下方向に延び、その下端部を支点として装置本体２１の前壁に揺動可能に支持されている。フロントカバー２６は、開口部２５を開放または閉鎖するように構成されている。
【００５３】
給紙トレイ２７は、装置本体２１の底部に位置している。給紙トレイ２７は、記録シートの一例としての用紙Ｐを収容するように構成されている。
【００５４】
排紙トレイ２８は、装置本体２１の上壁の後側半分に位置している。排紙トレイ２８は、用紙Ｐが載置されるように、装置本体２１の上面から下方へ凹んでいる。
【００５５】
プロセスカートリッジ２２は、装置本体２１の上下方向略中央に収容されている。プロセスカートリッジ２２は、開口部２５を介して装置本体２１に対して収容され、または、装置本体２１から離脱するように構成されている。プロセスカートリッジ２２は、上記したドラムカートリッジ１と、現像カートリッジ３０とを備えている。
【００５６】
現像カートリッジ３０は、感光ドラム３の前方において、ドラムカートリッジ１に収容されている。現像カートリッジ３０は、現像ローラ３１と、供給ローラ３２と、層厚規制ブレード３３と、トナー収容部３４とを有している。
【００５７】
現像ローラ３１は、左右方向に延びる略円柱形状を有し、現像カートリッジ３０の後端部において、回転可能に支持されている。現像ローラ３１の後端部は、感光ドラム３の前端部に接触している。
【００５８】
供給ローラ３２は、左右方向に延びる略円柱形状を有し、現像カートリッジ３０の後端部において、回転可能に支持されている。供給ローラ３２は、現像ローラ３１の前下方に位置しており、その後上端部は、現像ローラ３１の前下端部に接触している。
【００５９】
層厚規制ブレード３３は、現像ローラ３１の前上方に位置している。層厚規制ブレード３３は、現像ローラ３１の前端部に接触している。
【００６０】
トナー収容部３４は、供給ローラ３２および層厚規制ブレード３３の前方に位置している。トナー収容部３４は、トナーを収容するように構成されている。トナー収容部３４は、アジテータ３５を備えている。
【００６１】
アジテータ３５は、トナー収容部３４内において、現像カートリッジ３０に回転可能に支持されている。
【００６２】
スキャナユニット２３は、プロセスカートリッジ２２の上方に位置している。スキャナユニット２３は、感光ドラム３に向けて画像データに基づくレーザービームを出射するように構成されている。
【００６３】
定着ユニット２４は、プロセスカートリッジ２２の後方に位置している。定着ユニット２４は、加熱ローラ３６と、加熱ローラ３６の後下端部に圧接される加圧ローラ３７とを備えている。
【００６４】
本体側レジストローラ４０は、左右方向に延びる略円筒形状を有し、プロセスカートリッジ２２の下方において回転可能に支持されている。本体側レジストローラ４０は、その上端部が、カートリッジ側レジストローラ７の下端部に接触している。
【００６５】
プリンタ２０が画像形成動作を開始すると、スコロトロン型帯電器４は、感光ドラム３の表面を一様に正極性に帯電する。スキャナユニット２３は、画像データに基づいて感光ドラム３の表面を露光する。これにより、画像データに基づく静電潜像が、感光ドラム３の表面に形成される。
【００６６】
また、アジテータ３５は、トナー収容部３４内のトナーを撹拌して、供給ローラ３２に供給する。供給ローラ３２は、アジテータ３５によって供給されたトナーを現像ローラ３１に供給する。このとき、トナーは、現像ローラ３１と供給ローラ３２との間で正極性に摩擦帯電され、現像ローラ３１に担持される。層厚規制ブレード３３は、現像ローラ３１に担持されたトナーの層厚を一定厚さに規制する。
【００６７】
そして、現像ローラ３１に担持されたトナーは、感光ドラム３表面の静電潜像に供給される。これにより、トナー像が、感光ドラム３の表面に担持される。
【００６８】
用紙Ｐは、給紙トレイ２７から、各種ローラの回転により、所定のタイミングで１枚ずつ、カートリッジ側レジストローラ７と本体側レジストローラ４０との間に搬送される。さらに、カートリッジ側レジストローラ７と本体側レジストローラ４０との回転により、用紙Ｐは、感光ドラム３と転写ローラ５との間に搬送される。感光ドラム３表面のトナー像は、用紙Ｐが感光ドラム３と転写ローラ５との間を通過するときに、用紙Ｐに転写される。
【００６９】
その後、用紙Ｐは、加熱ローラ３６と加圧ローラ３７との間を通過するときに加熱および加圧される。これにより、用紙Ｐ上のトナー像は、用紙Ｐに熱定着される。その後、用紙Ｐは、排紙トレイ２８に排紙される。
３．ドラムカートリッジの詳細
（１）ドラムフレーム
図３および図４に示すように、ドラムフレーム２において、ベースフレーム１０は、１対の側壁１２と、底壁の一例としての下壁１３と、後壁１４と、前壁１５とを一体に備えている。
【００７０】
１対の側壁１２は、左右方向に一定の間隔を隔てて前後方向に延びている。１対の側壁１２のそれぞれは、側面視略矩形の板形状を有している。１対の側壁１２のうち、左方の側壁１２が左側壁１２Ａであり、右方の側壁１２が右側壁１２Ｂである。
【００７１】
下壁１３は、１対の側壁１２の下端部間に架設され、前後方向に延びている。下壁１３は、平面視略矩形の板形状を有している。下壁１３は、第１開口部１８を備えている。
【００７２】
第１開口部１８は、下壁１３の中央部において、平面視略矩形状に開口されており、左右方向の寸法が用紙Ｐの幅方向寸法よりも長い。
【００７３】
後壁１４は、下壁１３の後端部の上方に位置し、かつ、左右方向に延びている。後壁１４は、背面視略矩形の板形状を有している。後壁１４の左右両端部は、１対の側壁１２の後端部に連続している。
【００７４】
前壁１５は、下壁１３の前端部から連続して上方へ延びている。前壁１５は、正面視略矩形の板形状を有している。前壁１５の左右両端部は、１対の側壁１２の前端部に連続している。前壁１５は、把持部１６と、複数、すなわち、９つのリブ１００と、を備えている。
【００７５】
把持部１６は、前壁１５の左右方向略中央に配置されている。把持部１６は、平面視略矩形の板形状を有している。把持部１６は、前壁１５の上端部から前方へ延びている。
【００７６】
複数のリブ１００は、前壁１５の左方部および右方部に配置されている。詳しくは、３つのリブ１００が前壁１５の左方部に配置され、６つのリブ１００が前壁１５の右方部に配置されている。複数のリブ１００は、左右方向に互いに間隔を隔てて配置されている。複数のリブ１００のそれぞれは、前壁１５の上端部から前方に突出している。
【００７７】
カバーフレーム１１は、１対の側壁１２の後上端部および後壁１４の上端部を被覆している。カバーフレーム１１と下壁１３の後端部との間の領域に、上記した感光ドラム３が位置している。
【００７８】
カバーフレーム１１よりも前方における１対の側壁１２、前壁１５および下壁１３によって画定される部分が、現像カートリッジ装着部１７である。
【００７９】
そして、ドラムフレーム２において、１対の側壁１２のそれぞれは、貫通穴の一例としての第２開口部５１と、フレーム突起５２と、突出部６０と、受入溝６５とを有している。また、下壁１３は、１対のローラ収容部６８を有している。
（２）第２開口部
第２開口部５１は、側壁１２の略中央部に位置し、側壁１２を左右方向に貫通している。第２開口部５１は、側面視略矩形状を有している。第２開口部５１は、前後方向において、第１開口部１８よりも前方に位置している。
（３）フレーム突起
図３および図６Ａに示すように、フレーム突起５２は、側壁１２の左右方向内方側の端面において、第２開口部５１の周縁に沿って位置している。
【００８０】
フレーム突起５２は、上突出部５３と、前突出部５４と、後突出部５５とを備えている。前突出部５４および後突出部５５が第２被係合部の一例である。
【００８１】
上突出部５３は、第２開口部５１の上方に位置している。なお、１対の側壁１２のそれぞれに位置する上突出部５３のうち、左側壁１２Ａに位置する上突出部５３が、第１被係合部の一例としての第１上突出部５３Ａであり、右側壁１２Ｂに位置する上突出部５３が、第２上突出部５３Ｂである。
【００８２】
第１上突出部５３Ａは、左側壁１２Ａから右方に突出しており、かつ、第２開口部５１の上端縁に沿うようにして前後方向に延びている。詳しくは、図８に示すように、第１上突出部５３Ａは、第２開口部５１の上方周縁から、右方に向かうにつれて、下方に向かうように、左右方向に対して傾斜して突出している。第１上突出部５３Ａの上面は、先端（右端部）に向かうにつれて下方、すなわち、左側壁１２Ａに位置する第２開口部５１の内方に向かうように傾斜している。
【００８３】
図４に示すように、第２上突出部５３Ｂは、右側壁１２Ｂから左方に突出しており、かつ、右側壁１２Ｂに位置する第２開口部５１の上端縁に沿うようにして前後方向に延びている。
【００８４】
図３および図６Ａに示すように、前突出部５４は、側壁１２から左右方向内方に突出しており、かつ、第２開口部５１の前端縁に沿うようにして上下方向に延びている。詳しくは、前突出部５４は、第２開口部５１の前方周縁から、左右方向内方に向かうにつれて、後方に向かうように、左右方向に対して傾斜するように突出している。前突出部５４の上端部は、上突出部５３の前端部と連続している。前突出部５４の突出する先端部の前面は、先端に向かうにつれて後方、すなわち、第２開口部５１の内方に向かうように傾斜している。
【００８５】
後突出部５５は、側壁１２から左右方向内方に突出しており、かつ、第２開口部５１の後端縁に沿うようにして上下方向に延びている。詳しくは、後突出部５５は、第２開口部５１の後方周縁から、左右方向内方に向かうにつれて、前方に向かうように、左右方向に対して傾斜するように突出している。後突出部５５の上端部は、上突出部５３の後端部と連続している。後突出部５５の突出する先端部の後面は、先端に向かうにつれて前方、すなわち、第２開口部５１の内方に向かうように傾斜している。
（４）突出部
図３および図４に示すように、突出部６０は、側壁１２の左右方向外方に配置されており、前後方向において、第２開口部５１の前方に位置している。突出部６０は、側壁１２から左右方向外方に突出する側面視略矩形枠形状を有している。突出部６０は、上ビーム６１と、下ビーム６２と、前ボス６３と、後ビーム６４とを有している。
【００８６】
上ビーム６１は、側壁１２から左右方向外方に突出する略板形状であって、前後方向に延びている。なお、左側壁１２Ａ上に位置する上ビーム６１は、その中央部分が下方に向かって湾曲している。これによって、左側壁１２Ａの上ビーム６１の上面には、図９に示すように、現像カートリッジ３０を装着したときに、ギヤカバーが位置する。
【００８７】
下ビーム６２は、側壁１２から左右方向外方に突出する板形状であって、前後方向に延びている。下ビーム６２は、上下方向において上ビーム６１と間隔を隔てて位置している。
【００８８】
前ボス６３は、側壁１２から左右方向外方に突出する略円柱形状であって、その後端部が、上ビーム６１の前端部および下ビーム６２の前端部と連続している。
【００８９】
後ビーム６４は、側壁１２から左右方向外方に突出する板形状であって、上下方向に延びている。後ビーム６４の上端部は、上ビーム６１の後端部と連続しており、後ビーム６４の下端部は、下ビーム６２の後端部と連続している。後ビーム６４は、前後方向において、第２開口部５１の前方に位置している。
【００９０】
受入溝６５は、第２開口部５１の前方に位置している。受入溝６５は、左右方向から見て、第１開口部１８の前端部と重なっている。受入溝６５は、下方に向かって開放される側面視略Ｃ字形状を有しており、側壁１２の下端縁から上方に向かって窪んでいる。
（５）ローラ収容部
図１および図５に示すように、１対のローラ収容部６８は、下壁１３の前後方向の略中央部において、第１開口部１８の前端部を挟むように、左右方向に間隔を隔てて位置している。
【００９１】
図３に示すように、１対のローラ収容部６８のそれぞれは、側面視略Ｃ字状の板形状であって、下壁１３から上方に向かって窪んでいる。カートリッジ側レジストローラ７は、その左右方向両端部が１対のローラ収容部６８の窪みに収容されることにより、その左右方向中央部が、第１開口部１８の前端部に配置される。
４．軸受体
（１）１対の軸受体における共通の構成
上記したように、ドラムフレーム２の１対の側壁１２には、１対の軸受体６が取り付けられている。１対の軸受体６は、樹脂材料からなる。１対の軸受体６のうち、左側壁１２Ａに取り付けられる軸受体６が、軸受の一例としての第１軸受体６Ａであり、右側壁１２Ｂに取り付けられる軸受体６が第２軸受体６Ｂである。なお、以下の軸受体６の説明において、第１軸受体６Ａおよび第２軸受体６Ｂの両方に共通の構成については、軸受体６として説明する。
【００９２】
図６Ａおよび図７に示すように、１対の軸受体６のそれぞれは、支持部７１と、連結部７２と、係合部７３とを備えている。
【００９３】
図７に示すように、支持部７１は、左右方向に延びる略円筒形状を有している。支持部７１の後端部が位置決め部７１ａである。
【００９４】
図６Ａおよび図７に示すように、連結部７２は、支持部７１の前端に連続しており、前後方向に延びている。連結部７２は、横ビーム７４と、当接部７５とを備えている。
【００９５】
横ビーム７４は、支持部７１の前端から前方に向かって延びている。横ビーム７４は、後方に向かって開放される略Ｖ字状の板形状であって、その後端部が、連結部７２の前面に連続している。
【００９６】
当接部７５は、横ビーム７４の前端から上方に向かって突出している。当接部７５は、側面視略矩形状を有している。当接部７５の前面部分が、当接面７５ａである。当接面７５ａは、上下方向に沿って延びている。
【００９７】
係合部７３は、連結部７２に対して左右方向内方側に位置しており、連結部７２と連続している。すなわち、係合部７３は、連結部７２により、支持部７１と連結されている。係合部７３は、第１突起７６と、第２突起７７と、第３突起７８とを備えている。
【００９８】
第１突起７６は、第１突起基端部７６ｄと第１突起先端部７６ａとを備えている。
【００９９】
第１突起基端部７６ｄは、上下方向に沿う板形状を有し、連結部７２の前方部分から左右方向内方に向かって突出している。
【０１００】
第１突起先端部７６ａは、第１突起基端部７６ｄの先端部から前方に向かって突出する鉤形状を有している。詳しくは、第１突起先端部７６ａは、平面視略直角三角形状を有しており、第１返し面７６ｂと、第１傾斜面７６ｃとを備えている。
【０１０１】
第１返し面７６ｂは、第１突起基端部７６ｄの先端部から前方に突出するにつれて、左右方向外方に向かうように傾斜している。
【０１０２】
第１傾斜面７６ｃは、第１返し面７６ｂの前端部から左右方向内方へ向かうに従って後方に向かうように傾斜している。第１突起基端部７６ｄの突出方向（左右方向）に対する第１傾斜面７６ｃの傾斜角度は、第１突起基端部７６ｄの突出方向（左右方向）に対する第１返し面７６ｂの傾斜角度よりも小さい。
【０１０３】
第２突起７７は、第２突起基端部７７ｄと、第２突起先端部７７ａとを備えている。
【０１０４】
第２突起基端部７７ｄは、上下方向に沿う板形状を有し、連結部７２の後方部分から左右方向内方に向かって突出している。
【０１０５】
第２突起先端部７７ａは、第２突起基端部７７ｄの先端部から後方に向かって突出する鉤形状を有している。詳しくは、第２突起先端部７７ａは、平面視略直角三角形状を有しており、第２返し面７７ｂと、第２傾斜面７７ｃとを備えている。第２突起先端部７７ａおよび第１突起先端部７６ａが第２係合部の一例である。
【０１０６】
第２返し面７７ｂは、第２突起基端部７７ｄの先端部から後方に突出するにつれて、かつ左右方向外方に向かうように傾斜している。
【０１０７】
第２傾斜面７７ｃは、第２返し面７７ｂの後端部から左右方向内方へ向かうに従って前方に向かうように傾斜している。第２突起基端部７７ｄの突出方向（左右方向）に対する第２傾斜面７７ｃの傾斜角度は、第２突起基端部７７ｄの突出方向（左右方向）に対する第２返し面７７ｂの傾斜角度よりも小さい。
【０１０８】
第３突起７８は、上下方向に沿う板形状を有し、連結部７２の中央部分から左右方向内方に向かって突出している。
（２）第１軸受体
１対の軸受体６のうち、図６Ａおよび図８に示すように、第１軸受体６Ａの係合部７３からは、第４突起９０が突出している。
【０１０９】
第４突起９０は、第４突起基端部９０ｄと第１係合部の一例としての第４突起先端部９０ａとを備えている。なお、第１軸受体６Ａでは、係合部７３および第４突起基端部９０ｄが挿通部の一例を構成している。
【０１１０】
第４突起基端部９０ｄは、平面視略矩形の板形状を有し、連結部７２の上端部から左右方向内方に向かって突出している。第４突起基端部９０ｄは、上下方向に投影したときに、第１突起７６、第２突起７７および第３突起７８に重なっている。
【０１１１】
第４突起先端部９０ａは、第４突起基端部９０ｄの先端部から上方に向かって突出する鉤形状を有している。詳しくは、第４突起先端部９０ａは、正面視略直角三角形状を有しており、第４返し面９０ｂと、傾斜面の一例としての第４傾斜面９０ｃとを備えている。
【０１１２】
第４返し面９０ｂは、第４突起基端部９０ｄの先端部から上方に突出するにつれて左右方向外方に向かうように傾斜している。
【０１１３】
第４傾斜面９０ｃは、第４返し面９０ｂの前端部から左右方向内方へ向かうに従って下方に傾斜している。第４突起基端部９０ｄの突出方向（左右方向）に対する第４傾斜面９０ｃの傾斜角度は、第４突起基端部９０ｄの突出方向（左右方向）に対する第４返し面９０ｂの傾斜角度よりも小さい。
５．カートリッジ側レジストローラ
図７に示すように、カートリッジ側レジストローラ７は、大径部８１と、１対の小径部８２とを備えている。
【０１１４】
大径部８１は、左右方向に延びる略円柱形状であって、その左右方向寸法は、ベースフレーム１０の左右方向寸法と略同じである。
【０１１５】
大径部８１は、上記した本体側レジストローラ４０とともに回転して用紙Ｐを搬送する部分である。
【０１１６】
小径部８２は、大径部８１の直径よりも小さい直径を有する左右方向に延びる略円柱形状である。
【０１１７】
１対の小径部８２のそれぞれは、大径部８１の左右方向両外方に位置し、かつ、大径部８１の両端部のそれぞれに連続している。１対の小径部８２のそれぞれは、大径部８１と中心軸線を共有している。小径部８２の直径は、軸受体６の支持部７１の内径と略同じである。
６．カートリッジ側レジストローラへの軸受体の組み付け
軸受体６をカートリッジ側レジストローラ７に組み付ける際には、図１に示すように、作業者は、カートリッジ側レジストローラ７を下壁１３の１対のローラ収容部６８に収容する。このとき、カートリッジ側レジストローラ７の左右方向両端部は、側壁１２の受入溝６５に受け入れられている。また、図７に示すように、大径部８１は、その両端部が１対の側壁１２と前後方向において重なる位置を通過する位置まで延びており、１対の小径部８２の全体は、左右方向において１対の側壁１２よりも外方に位置している。
【０１１８】
次いで、図６Ａおよび図７に示すように、作業者は、１対の軸受体６のそれぞれをカートリッジ側レジストローラ７の左右方向外方に位置させる。このとき、左右方向において支持部７１が小径部８２と間隔を隔てて位置しており、詳しくは、カートリッジ側レジストローラ７の第２回転軸線Ｌ２と支持部７１の軸線とが左右方向において重なる。
【０１１９】
その後、作業者は、１対の軸受体６を左右方向内方に移動させる。すると、図７に示すように、１対の小径部８２のそれぞれが１対の支持部７１のそれぞれを挿通する。そして、第１軸受体６Ａにおいては、第１突起７６、第２突起７７、第３突起７８および第４突起９０が、左側壁１２Ａの第２開口部５１を通過する。また、第２軸受体６Ｂにおいては、第１突起７６、第２突起７７および第３突起７８が、右側壁１２Ｂの第２開口部５１を挿通する。第１軸受体６Ａおよび第２軸受体６Ｂは、第２開口部５１内で左右方向に移動可能なように、左側壁１２Ａおよび右側壁１２Ｂに取り付けられている。
【０１２０】
すると、前突出部５４の傾斜面に第１返し面７６ｂが沿うようにして、第１突起７６は、前突出部５４に隣接して係合可能となる。また、後突出部５５の傾斜面に第２返し面７７ｂが沿うようにして、第２突起７７は、後突出部５５に隣接して係合可能となる。また、左側壁１２Ａでは、図８に示すように、第１上突出部５３Ａの傾斜面に第４返し面９０ｂが沿うようにして、第４突起９０は、第１上突出部５３Ａに隣接して係合可能となる。そして、第１突起７６、第２突起７７および第３突起７８の下端は、下壁１３の上面に当接可能に隣接配置されている。
【０１２１】
このとき、図７に示すように、第１突起先端部７６ａは、前後方向において、第２開口部５１から離れるにつれて、左右方向において、側壁１２に向かうように傾斜している。
【０１２２】
また、第１突起基端部７６ｄの突出方向（左右方向）に対する第１返し面７６ｂの傾斜角度は、第１突起基端部７６ｄの突出方向（左右方向）に対する側壁１２の前突出部５４の傾斜面（前面）の傾斜角度よりも大きく、第１返し面７６ｂは、前方に向かうほど、側壁１２の前突出部５４の傾斜面（前面）から離れる角度で傾斜している。
【０１２３】
また、第１傾斜面７６ｃは、左右方向内方に向かうにつれて、ドラムフレーム２の第２開口部５１の内方に向かうように傾斜している。
【０１２４】
そして、第２突起先端部７７ａは、前後方向において、第２開口部５１から離れるにつれて、左右方向において、側壁１２に向かうように傾斜している。
【０１２５】
また、第２突起基端部７７ｄの突出方向（左右方向）に対する第２返し面７７ｂの傾斜角度は、第２突起基端部７７ｄの突出方向（左右方向）に対する側壁１２の後突出部５５の傾斜面（後面）の傾斜角度よりも大きく、第２返し面７７ｂは、後方に向かうほど、側壁１２の後突出部５５の傾斜面（後面）から離れる角度で傾斜している。
【０１２６】
また、第２傾斜面７７ｃは、左右方向内方に向かうにつれて、ドラムフレーム２の第２開口部５１の内方に向かうように傾斜している。
【０１２７】
そして、図８に示すように、第４突起先端部９０ａは、上下方向において、第２開口部５１から離れるにつれて、左右方向において、側壁１２に向かうように傾斜している。換言すれば、第４突起先端部９０ａの第４傾斜面９０ｃは、上下方向において、係合部７３から離れるにつれて、左右方向において、側壁１２に向かうように傾斜している。
【０１２８】
また、第４突起基端部９０ｄの突出方向（左右方向）に対する第４返し面９０ｂの傾斜角度は、第４突起基端部９０ｄの突出方向（左右方向）に対する左側壁１２Ａの第１上突出部５３Ａの傾斜面（上面）の傾斜角度よりも大きく、第４返し面９０ｂは、上方に向かうほど、左側壁１２Ａの第１上突出部５３Ａの傾斜面（上面）から離れる角度で傾斜している。
【０１２９】
また、第４傾斜面９０ｃは、左右方向内方に向かうにつれて、ドラムフレーム２の第２開口部５１の内方に向かうように傾斜している。
【０１３０】
また、図９に示すように、連結部７２の当接部７５、詳しくは、当接面７５ａが突出部６０の後ビーム６４の後方に隣接するように位置する。当接面７５ａは、ドラムカートリッジ１の通常使用時において、後ビーム６４と前後方向にわずかな間隔を空けて配置されている。
【０１３１】
これにより、カートリッジ側レジストローラ７が、１対の軸受体６の支持部７１により回転可能に支持されるとともに、１対の軸受体６がドラムフレーム２に取り付けられる。また、カートリッジ側レジストローラ７の各端部において、小径部８２は、左右方向において、軸受体６の係合部７３よりも左右方向外方に位置し、かつ、側壁１２に対して軸受体６の係合部７３の反対側に位置する。
【０１３２】
そして、ドラムカートリッジ１において、カートリッジ側レジストローラ７ががたついた場合には、前突出部５４の傾斜面に第１返し面７６ｂが係合し、後突出部５５の傾斜面に第２返し面７７ｂが係合する。また、左側壁１２Ａでは、第１上突出部５３Ａの傾斜面に第４返し面９０ｂが係合する。
【０１３３】
ドラムカートリッジ１において、水平方向に衝撃が加わった場合には、軸受体６には、水平方向に向かう力が加わる。その一方、第４突起９０の第４突起先端部９０ａは、上方に突出している。すなわち、第４突起９０の第４突起先端部９０ａは、水平方向に衝撃が加わった場合に加わる力に対して異なる方向に突出している。
【０１３４】
また、ドラムカートリッジ１において、鉛直方向に衝撃が加わった場合には、軸受体６には、鉛直方向に向かう力が加わる。その一方、第１突起７６の第１突起基端部７６ｄは、前方に突出しており、第２突起７７の第２突起先端部７７ａは、後方に突出している。すなわち、第１突起７６の第１突起基端部７６ｄ、および、第２突起７７の第２突起先端部７７ａは、鉛直方向に衝撃が加わった場合に加わる力に対して異なる方向に突出している。
７．装置本体に対するプロセスカートリッジの装着
ドラムカートリッジ１を、図１に示す装置本体２１に装着する際は、図９に示すように、作業者は、ドラムカートリッジ１に現像カートリッジ３０を装着して、プロセスカートリッジ２２を構成する。
【０１３５】
そして、把持部１６を把持しながら、ドラムカートリッジ１を図１に示す装置本体２１に装着する。すなわち、図１に示すように、作業者は、フロントカバー２６を開放して、開口部２５を介してドラムカートリッジ１を装置本体２１に対して装着する。すると、図９に示すように、支持部７１の後端部が装置本体２１に備えられた位置決め部材９２と当接し、支持部７１が前後方向において位置決めされ、これにより、カートリッジ側レジストローラ７が前後方向において位置決めされる。また、カートリッジ側レジストローラ７は、本体側レジストローラ４０により上方に向かって押圧される。
【０１３６】
一方、支持部７１の上端部は、装置本体２１に備えられたばね９１に当接し、これにより、支持部７１が下方に向かって付勢される。そのため、支持部７１が支持しているカートリッジ側レジストローラ７の下端部と本体側レジストローラ４０の上端部とは、常に弾性的に接触する。詳しくは、カートリッジ側レジストローラ７の大径部８１が本体側レジストローラ４０の上端部に常に弾性的に接触する。
８．作用効果
（１）このドラムカートリッジ１によれば、図６Ａに示すように、第１軸受体６Ａは、上方に突出する第４突起先端部９０ａを備えている。また、左側壁１２Ａは、第１上突出部５３Ａを備えている。ドラムカートリッジ１では、第４突起先端部９０ａは、第１上突出部５３Ａに係合する。
【０１３７】
そして、ドラムカートリッジ１に水平方向に衝撃が加わった場合には、第１軸受体６Ａには、水平方向に向かう力が加わる。その一方、第４突起９０の第４突起先端部９０ａは、上方に突出している。すなわち、第４突起９０の第４突起先端部９０ａは、水平方向に衝撃が加わった場合に加わる力に対して異なる方向に突出している。
【０１３８】
そのため、ドラムカートリッジ１に水平方向に衝撃が加わった場合に、第１軸受体６Ａに対して第４突起先端部９０ａと第１上突出部５３Ａとの係合状態が解除される方向に力が加わることを抑制できる。
【０１３９】
その結果、第４突起先端部９０ａと第１上突出部５３Ａとの係合状態を安定的に維持でき、第１軸受体６Ａが左側壁１２Ａから外れることを抑制できる。
【０１４０】
よって、カートリッジ側レジストローラ７がドラムフレーム２から脱落することを抑制できる。
（２）このドラムカートリッジ１によれば、図８に示すように、第１軸受体６Ａの係合部７３は、左側壁１２Ａの第２開口部５１を通過する。また、第４突起先端部９０ａは、第１軸受体６Ａの係合部７３から突出している。そして、第１軸受体６Ａの第４突起先端部９０ａは、左側壁１２Ａの第１上突出部５３Ａと係合する。
【０１４１】
そのため、第１軸受体６Ａの第４突起先端部９０ａと、左側壁１２Ａの第１上突出部５３Ａとを確実に係合させることができる。
（３）また、このドラムカートリッジ１によれば、図８に示すように、第４突起先端部９０ａは、上下方向において、係合部７３から離れるにつれて、左右方向において、側壁１２に向かうように傾斜する第４傾斜面９０ｃを有する。
【０１４２】
そのため、第１軸受体６Ａの第４突起先端部９０ａが左側壁１２Ａの第１上突出部５３Ａに係合する際に、第４突起先端部９０ａが第１上突出部５３Ａに対して鉤のように係合する。
【０１４３】
その結果、第４突起先端部９０ａを第１上突出部５３Ａに対して一層確実に係合させることができる。
（４）このドラムカートリッジ１によれば、図３に示すように、係合部７３の下端は、下壁１３の上面に当接可能に隣接配置されている。
【０１４４】
そのため、第１軸受体６Ａが下方側に移動すると、係合部７３が下壁１３に当接する。
【０１４５】
その結果、第１軸受体６Ａの下方への移動が下壁１３によって規制される。
【０１４６】
よって、カートリッジ側レジストローラ７がドラムフレーム２から脱落することを確実に抑制できる。
（５）このドラムカートリッジ１によれば、図８に示すように、第１上突出部５３Ａは、第２開口部５１よりも上方に位置している。
【０１４７】
そのため、第１上突出部５３Ａを下壁１３と間隔を隔てて位置させることができる。
【０１４８】
その結果、ドラムカートリッジ１において、第１上突出部５３Ａを、バランスよく配置できる。
（６）このドラムカートリッジ１によれば、図７に示すように、第１軸受体６Ａは、前方に突出する第１突起先端部７６ａ、および、後方に突出する第２突起先端部７７ａを備えている。また、左側壁１２Ａは、前突出部５４および後突出部５５を備えている。ドラムカートリッジ１では、第１突起先端部７６ａは、前突出部５４に係合し、第２突起先端部７７ａは、後突出部５５に係合する。
【０１４９】
そして、ドラムカートリッジ１において、鉛直方向に衝撃が加わった場合には、軸受体６には、鉛直方向に向かう力が加わる。その一方、第１突起７６の第１突起基端部７６ｄは、前方に突出しており、第２突起７７の第２突起先端部７７ａは、後方に突出している。すなわち、第１突起７６の第１突起基端部７６ｄ、および、第２突起７７の第２突起先端部７７ａは、鉛直方向に衝撃が加わった場合に加わる力に対して異なる方向に突出している。
【０１５０】
そのため、ドラムカートリッジ１に鉛直方向に衝撃が加わった場合に、第１軸受体６Ａに対して、第１突起先端部７６ａと前突出部５４との係合状態が解除される方向に力が加わることを抑制できる。同様に、第２突起先端部７７ａと後突出部５５との係合状態が解除される方向に力が加わることを抑制できる。
【０１５１】
その結果、ドラムカートリッジ１に鉛直方向に衝撃が加わった場合には、第１突起先端部７６ａが前突出部５４との係合を維持する。同様に、第２突起先端部７７ａが後突出部５５との係合を維持する。
【０１５２】
その結果、ドラムカートリッジ１に対して、水平方向における衝撃に加えて、鉛直方向における衝撃が加わった場合でも、第１軸受体６Ａと左側壁１２Ａとの係合状態を安定的に保つことができる。
（７）このドラムカートリッジ１によれば、図７に示すように、カートリッジ側レジストローラ７は、大径部８１と、大径部８１よりも径が小さく、軸受体６によって支持される小径部８２とを備えている。そして、小径部８２は、側壁１２に対して、大径部８１の反対側に位置している。
【０１５３】
そのため、カートリッジ側レジストローラ７における用紙Ｐと接触する部分を、剛性の高い大径部８１から形成できる。
【０１５４】
その結果、用紙Ｐと接触するカートリッジ側レジストローラ７が撓むことを抑制でき、用紙Ｐの搬送性を高めることができる。
（８）このドラムカートリッジ１によれば、図７に示すように、カートリッジ側レジストローラ７は、金属製である。
【０１５５】
そのため、カートリッジ側レジストローラ７が撓むことを一層抑制できる。
（９）このドラムカートリッジ１によれば、図９に示すように、ドラムカートリッジ１を装置本体２１に装着した際には、支持部７１の後端部が装置本体２１に備えられた位置決め部材９２と当接し、軸受体６が前後方向において位置決めされる。
【０１５６】
そのため、ドラムカートリッジ１を装置本体２１に装着した状態において、カートリッジ側レジストローラ７を前後方向において位置決めできる。
８．第２実施形態および第３実施形態
図１０Ａ〜図１２Ｂを参照して、ドラムカートリッジの第２実施形態および第３実施形態を説明する。なお、以下の変形例において、上記第１実施形態と同様の部材には同様の符号を付し、その説明を省略する。
（１）第２実施形態   
（１−１）第２実施形態のドラムカートリッジの詳細
上記した第１実施形態では、第１軸受体６Ａの係合部７３は、第４突起９０を１つ備えている。そして、第４突起９０が、側壁１２の第１上突出部５３Ａに係合する。
【０１５７】
対して、第２実施形態では、図１０Ａに示すように、第１軸受体６Ａの係合部７３は、
１対の第４突起９０を備えている。そして、１対の第４突起９０が側壁１２に係合する。
【０１５８】
詳しくは、１対の第４突起９０は、上下方向に互いに間隔を隔てて位置している。そして、１対の第４突起９０の間の領域に、図７に示す第１突起７６、第２突起７７および第３突起７８が位置している。下方側に位置する第４突起９０は、上方側に位置する第４突起９０と上下が逆になるように構成されており、下方側に位置する第４突起９０の第４突起先端部９０ａは、第４突起基端部９０ｄから下方に向かって突出している。
【０１５９】
また、図１０Ｂに示すように、左側壁１２Ａのフレーム突起５２は、第１下突出部９６を備えている。第１上突出部５３Ａおよび第１下突出部９６が、第１被係合の一例を構成している。
【０１６０】
第１下突出部９６は、第２開口部５１の下方に位置している。すなわち、第１上突出部５３Ａと第１下突出部９６とは、上下方向において、第２開口部５１を挟むように位置している。第１下突出部９６は、左側壁１２Ａから左右方向内方に突出しており、かつ、左側壁１２Ａに位置する第２開口部５１の下端縁に沿うようにして前後方向に延びている。第１下突出部９６の先端部部分は、先端に向かうにつれて上方、すなわち、第２開口部５１の内方に向かうように傾斜している。
【０１６１】
また、下壁１３は、第４開口部９７を有している。第４開口部９７は、下壁１３の左端部であって、前後方向中央部に位置しており、第２開口部５１の右下方に位置している。第４開口部９７は、平面視略矩形状を有しており、下壁１３を上下方向に貫通している。第４開口部９７の前後方向の寸法は、第２開口部５１の前後方向の寸法と略同じである。
【０１６２】
軸受体６をカートリッジ側レジストローラ７に組み付けると、第１下突出部９６に、下方側の第４突起９０の第４返し面９０ｂが沿うようにして、第４突起９０は、第１下突出部９６に隣接して係合可能となる。また、下方側の第４突起９０の第４突起先端部９０ａは、第４開口部９７に臨んでいる。
【０１６３】
そして、ドラムカートリッジ１において、カートリッジ側レジストローラ７ががたついた場合には、第１下突出部９６の傾斜面に、下方側の第４突起９０の第４返し面９０ｂが係合する。
（１−２）第２実施形態の作用効果
第２実施形態のドラムカートリッジ１によれば、第１実施形態と同様の作用効果を得ることができる。
【０１６４】
また、第２実施形態のドラムカートリッジ１によれば、図１０Ｂに示すように、左側壁１２Ａのフレーム突起５２は、第１下突出部９６を備えている。また、図１０Ａに示すように、第１軸受体６Ａの係合部７３は、１対の第４突起９０を備えている。そして、軸受体６をカートリッジ側レジストローラ７に組み付けた状態においては、第１下突出部９６の傾斜面に、下方側の第４突起９０の第４返し面９０ｂが係合する。
【０１６５】
そのため、第１軸受体６Ａの係合部７３と、側壁１２のフレーム突起５２との係合状態を安定的に保つことができる。
（２）第３実施形態   
（２−１）第３実施形態のドラムカートリッジの詳細
上記した第１実施形態では、ドラムカートリッジ１は、１対の軸受体６のうち、第１軸受体６Ａのみが第４突起９０を備えている。
【０１６６】
対して、第３実施形態では、図１１に示すように、第２軸受体６Ｂも第４突起９０を備えている。
【０１６７】
詳しくは、第２軸受体６Ｂの第４突起９０は、連結部７２の上端部から左右方向内方に向かって突出している。
【０１６８】
そして、第２軸受体６Ｂの第４突起９０は、上記第１実施形態と同様に、第４突起基端部９０ｄと第４突起先端部９０ａとを備えている。
【０１６９】
また、右側壁１２Ｂにおいて、第２上突出部５３Ｂは、第２開口部５１の上方周縁から、左方に向かうにつれて、下方に向かうように、左右方向に対して傾斜して突出している。第２上突出部５３Ｂの上面は、先端（左端部）に向かうにつれて下方、すなわち、右側壁１２Ｂに位置する第２開口部５１の内方に向かうように傾斜している。
【０１７０】
そして、１対の軸受体６の一方、例えば、第２軸受体６Ｂの連結部７２を右側壁１２Ｂに当接させた状態においては、第１軸受体６Ａの第４突起９０の第４返し面９０ｂと、左側壁１２Ａの第１上突出部５３Ａの傾斜面（上面）との間には、距離Ｌ３のわずかな隙間が生じている。同様に、第１軸受体６Ａの第１突起７６の第１返し面７６ｂと、左側壁１２Ａの前突出部５４の傾斜面（前面）との間、および、第１軸受体６Ａの第２突起７７の第２返し面７７ｂと、左側壁１２Ａの後突出部５５の傾斜面（後面）との間には、距離Ｌ４のわずかな隙間が生じている。そして、距離Ｌ３は、距離Ｌ４よりも短い。
【０１７１】
ドラムカートリッジ１ががたついた場合に、軸受体６が側壁１２に当接すると側壁１２が撓む場合がある。例えば、第２軸受体６Ｂが右側壁１２Ｂに当接すると、右側壁１２Ｂが撓む場合がある。そして、右側壁１２Ｂが撓むと、その後に、第１上突出部５３Ａの傾斜面（上面）に第４返し面９０ｂが係合し、その後、前突出部５４の傾斜面（前面）に第１返し面７６ｂが係合し、また、後突出部５５の傾斜面（後面）に第２返し面７７ｂが係合する。
（２−２）第３実施形態の作用効果
第３実施形態のドラムカートリッジ１によれば、第１実施形態と同様の作用効果を得ることができる。
【０１７２】
また、第３実施形態のドラムカートリッジ１によれば、図１１に示すように、第２軸受体６Ｂは、第４突起９０を備えている。そして、１対の軸受体６である第１軸受体６Ａおよび第２軸受体６Ｂがカートリッジ側レジストローラ７の両端部を支持している。
【０１７３】
そして、ドラムカートリッジ１ががたつき、軸受体６の連結部７２を側壁１２に当接した際には、側壁１２が撓む場合がある。側壁１２が撓むと、その後に、第１上突出部５３Ａの傾斜面に第４返し面９０ｂが係合する。
【０１７４】
そのため、第４返し面９０ｂと第１上突出部５３Ａとが係合する際の衝撃を小さくできる。
【０１７５】
また、第３実施形態のドラムカートリッジ１によれば、図１２Ａに示す第４返し面９０ｂと第１上突出部５３Ａとの間の距離Ｌ３は、図１２Ｂに示す第１返し面７６ｂと前突出部５４の傾斜面との間の距離Ｌ４、および、第２返し面７７ｂと後突出部５５の傾斜面との間の距離Ｌ４よりも短い。
【０１７６】
そのため、ドラムカートリッジ１が水平方向にがたついたときに、第２返し面７７ｂが後突出部５５の傾斜面に係合するよりも先に、第４返し面９０ｂを第１上突出部５３Ａに係合させることができる。
【０１７７】
そのため、ドラムカートリッジ１が水平方向にがたついたとしても、第１軸受体６Ａと側壁１２との係合状態を安定的に保つことができる。
【符号の説明】
【０１７８】
１      ドラムカートリッジ
２      ドラムフレーム
３      感光ドラム
６      軸受体
６Ａ    第１軸受体
７      カートリッジ側レジストローラ
１２    側壁
１２Ａ  左側壁
２１    装置本体
５３Ａ  第１上突出部
７２    連結部
７３    係合部
７６ａ  第１突起先端部
７７ａ  第２突起先端部
８１    大径部
８２    小径部
９０ａ  第４突起先端部
９２    位置決め部材
９６    第１下突出部
Ｌ１    第１回転軸線
Ｌ２    第２回転軸線
【図１】
0006417836.tif 000002
【図２】
0006417836.tif 000003
【図３】
0006417836.tif 000004
【図４】
0006417836.tif 000005
【図５】
0006417836.tif 000006
【図６】
0006417836.tif 000007
【図７】
0006417836.tif 000008
【図８】
0006417836.tif 000009
【図９】
0006417836.tif 000010
【図１０】
0006417836.tif 000011
【図１１】
0006417836.tif 000012
【図１２】
0006417836.tif 000013